(57)【要約】【課題】子供にとって安全な玩具であって、使い終わった後に、片付け方を学習しつつ整然と簡単に収納して保管することができる積上玩具セットを提供する。【解決手段】弾力性を有する複数の積上部材としてのクッションブロックＢ１乃至Ｂ８と、クッションブロックを収納可能であり可撓性を有する収納体２とを備え、収納体２には、クッションブロックを収納体２内に並べるための指示表示を設ける。指示表示は、各クッションブロックＢ１乃至Ｂ８の略実寸の投影図形である。収納体２は、主面部２Ａ，２Ｂ、側面部２Ｃ，２Ｅ，２Ｄ，２Ｄを有し、側面部２Ｅ，２Ｄ，２Ｄには着脱部材としてのファスナーＦ１，Ｆ２，Ｆ２が形成されて、収納体２を平面状に展開及び袋状に形成することが可能である。【選択図】図１
2006280488.tif 000002
【特許請求の範囲】
【請求項１】
弾力性を有する複数の積上部材と、前記積上部材を収納可能な収納体とを有し、
前記収納体には、前記積上部材を前記収納体内に並べるための指示表示を設けたこと
を特徴とする積上玩具セット。
【請求項２】
前記各積上部材がなす立体形状は、少なくとも２種以上であることを特徴とする請求項１に記載の積上玩具セット。
【請求項３】
前記指示表示は、前記各積上部材の略実寸の投影図形であり、前記投影図形同士の隙間がなく又は隙間を少なくして、前記収納体の内面に設けられていることを特徴とする請求項１又は請求項２に記載の積上玩具セット。
【請求項４】
前記収納体は、可撓性を有する部材で構成したことを特徴とする請求項１乃至請求項３のうち、いずれか１に記載の積上玩具セット。
【請求項５】
前記収納体は、着脱部材を有し、該着脱部材の着脱状態に応じて、平面状に展開及び袋状に形成することが可能な構成としたことを特徴とする請求項１乃至請求項４のうち、いずれか１に記載の積上玩具セット。
【請求項６】
前記各積上部材は、前記指示表示に対応させて配置した場合において総て略同一の高さを有し、前記収納体は、対向する２枚の主面部と、前記積上部材の高さ相当のマチ幅を確保する側面部とを有し、前記主面部の少なくとも一方の内面に前記指示表示を設け、積上部材の収納状態において全体として多面体を構成することを特徴とする請求項１乃至請求項５のうち、いずれか１に記載の積上玩具セット。
【請求項７】
前記着脱部材は、ファスナーであって、前記収納体は、前記ファスナーを開いている状態及び／又は閉じている状態において位置するファスナースライダーを被覆可能な保護片を有することを特徴とする請求項１乃至請求項６のうち、いずれか１に記載の積上玩具セット。
【発明の詳細な説明】
【技術分野】
【０００１】
本発明は、弾力性（クッション性）を有する複数の積上部材と、該積上部材を収納するための収納体とを組み合わせた積上玩具セットに関するものである。
【背景技術】
【０００２】
子供の玩具として、三角柱や直方体などの多数の立体形状の積木ピースを組み合わせた積木セットがあるが、一般的に従来では、木材等のように硬くて重めの素材で積木ピース（積上部材）ができているため、玩具としての安全面から、一般的には積み木ピースは小さく形成される。
【０００３】
一方、多くの子供が安全に遊べるように作られたアミューズメントスペースなどにはしばしば、クッションでできた大きな積上部材が置かれている。このようなクッションでできた積上部材は、小さな子供が積み上げたり転がしたりして安全に遊ぶことのできるものであるが、多くの場合、一般家庭内で使うことを意図していないので、所定の場所に積み上げて保管することはよくあるものの、そのサイズが大きいが故に、袋に詰めて仕舞うようなことはしていない。
【０００４】
また、保管に関しては、木製等のように小型の積木については、通常は決まった大きさの硬い箱やケースがセットで附属されており、子供が遊んだ後は、自主的にその箱に仕舞うことで、片付けの習慣を覚えられるようになっていることが多い（例えば、特許文献１参照）。
【０００５】
【特許文献１】実用新案登録第３０７６５６８号公報
【発明の開示】
【発明が解決しようとする課題】
【０００６】
従来では、木製等の小型の積木に関しては、収納のための硬い箱やケースがセットで附属されており、そこに詰めることで整然と収納できるようになっているのが大半であるが、クッションでできた積上玩具に関しては、収納についてあまり考慮されていないのが現状であって、せいぜい大きめの箱や袋に収納することが行われているに過ぎず、また、その収納方法が一見してわからないために、前記箱や袋に強引に収納すれば、クッションでできた積上部材に余計な負荷がかかったまま収容された状態が続くため、次に使うときには、クッションでできた積上部材が型崩れしていて、積上げて遊ぶことができなくなるおそれがあった。
【０００７】
本発明は、上記事情を考慮し、子供にとって安全な玩具であって、使い終わった後に、片付け方を学習しつつ整然と簡単に収納して保管することができる積上玩具セットを提供することを目的とする。
【課題を解決するための手段】
【０００８】
請求項１の発明の積上玩具セットは、弾力性を有する複数の積上部材と、前記積上部材を収納可能な収納体とを有し、前記収納体には、前記積上部材を前記収納体内に並べるための指示表示を設けたことを特徴とする。
【０００９】
請求項２の発明は、請求項１に記載の積上玩具セットであって、前記各積上部材がなす立体形状が、少なくとも２種以上であることを特徴とする。
【００１０】
請求項３の発明は、請求項１又は請求項２に記載の積上玩具セットであって、前記指示表示が、前記各積上部材の略実寸の投影図形であり、前記投影図形同士の隙間がなく又は隙間を少なくして、前記収納体の内面に設けられていることを特徴とする。
【００１１】
請求項４の発明は、請求項１乃至請求項３のうちいずれか１に記載の積上玩具セットであって、前記収納体が、可撓性を有する部材で構成したことを特徴とする。
【００１２】
請求項５の発明は、請求項１乃至請求項４のうちいずれか１に記載の積上玩具セットであって、前記収納体が、着脱部材を有し、該着脱部材の着脱状態に応じて、平面状に展開及び袋状に形成することが可能な構成としたことを特徴とする。
【００１３】
請求項６の発明は、請求項１乃至請求項５のうちいずれか１に記載の積上玩具セットであって、前記各積上部材が、前記指示表示に対応させて配置した場合において総て略同一の高さを有し、前記収納体は、対向する２枚の主面部と、前記積上部材の高さ相当のマチ幅を確保する側面部とを有し、前記主面部の少なくとも一方の内面に前記指示表示を設け、積上部材の収納状態において全体として多面体を構成することを特徴とする。
【００１４】
請求項７の発明は、請求項１乃至請求項６のうちいずれか１に記載の積上玩具セットであって、前記着脱部材が、ファスナーであって、前記収納体は、前記ファスナーを開いている状態及び／又は閉じている状態において位置するファスナースライダーを被覆可能な保護片を有することを特徴とする。
【発明の効果】
【００１５】
請求項１及び請求項２の発明によれば、弾性力を有する積上部材、特に立体形状の異なる複数の積上部材を指示表示に従って並べることによって、積上部材に余計な負荷をかけることなく整然とかつ簡単に収納体内に積上部材を収納することができ、また、遊び終わった後に、指示表示に従って積上部材を置いていくだけできれいに片付けることができるので、片付けの要領を学習することができる。
【００１６】
請求項３の発明によれば、指示表示は、各積上部材の略実寸の投影図形であるから、どの積上部材をどの指示表示に並べるのかが一見して理解できるとともに、投影図形同士の隙間がなく又は隙間を少なくしていることから、総ての積上部材も隙間なく又は隙間を少なくして並べることができ、その状態で収納体に収納されることによって積上部材を無理なく簡単にかつコンパクトに収納できるため、収納スペースの狭小化をも図ることができる。
【００１７】
請求項４の発明によれば、収納体は可撓性を有する部材で構成したため、積上部材の収納状態においても全体として弾力性を確保することができ、玩具としての安全性の向上を図ることができるとともに、収納状態において大きなクッションとして使用することもできる。
【００１８】
請求項５の発明によれば、平面状に展開可能であるため、収納体をプレイマットとして使うことができるとともに、指示表示全体を十分に見渡すことができる状態において積上部材を並べることが可能となる。
【００１９】
請求項６の発明によれば、積上部材の収納状態において全体として多面体を構成されるので安定感を確保することができ、また、収納体は、対向する２枚の主面部と積上部材の高さ相当のマチ幅を確保する側面部とを有するため、総ての積上部材を収納せず、例えば１つや２つの積上部材を欠いて収納し、収容体内部で空間ができる場合であっても、収納体内部での積上部材の動きは規制され、収納状態における安定感を維持することができる。
【００２０】
請求項７の発明によれば、ファスナーを開いているとき及び／又は閉じているとき、保護片でファスナーのスライダーを被覆できるようにしたので、ファスナーを開き収納体を平面状に展開してその上で子供が遊ぶ場合において、ファスナースライダーは露出していないのでこれを踏んでも安全であり、反対に、ファスナーを閉じた状態においてファスナースライダーが露出しないので、子供が容易に収納状態を解除することを防止でき、また、収納状態を大きいクッションとして使用する場合においても安全である。
【発明を実施するための最良の形態】
【００２１】
以下、本発明の実施形態について図面を参照しながら説明する。
【００２２】
図１（ａ）は総ての積上部材を収納体に収納した状態を示す積上玩具セットの外観斜視図、（ｂ）は積上玩具セットの展開状態の斜視図である。図２は、収納体の展開図であり、（ａ）は内面を示す図、（ｂ）は外面を示す図である。図３は、積上部材と収納体の主面部の指示表示との対応関係を示す図であり、（ａ）は総ての積上部材を並べた状態を示す図、（ｂ）は３つの積上部材を並べた状態を示す図である。図４は、積上部材の構成例を示す図であり、（ａ）は外観斜視図、（ｂ）は芯材を外袋から取り出した状態を示す斜視図である。
【００２３】
図１に示すように、積上玩具セット１は、各々が一定高さＨの立体形状を有する複数（図示例では８個）の積上部材としてのクッションブロックＢ（Ｂ１〜Ｂ８）と、全体が平面状に展開可能であり、総てのクッションブロックＢを収納可能な収納体２とからなる。
【００２４】
収納体２は、全体として略直方体形状をなす袋状のもので、互いに対向する２枚の矩形状の広面積の主面部２Ａ、２Ｂと、クッションブロックＢの高さ相当のマチ幅Ｍを確保するため、２枚の主面部２Ａ、２Ｂの対応する辺同士を連結する矩形状の側面部２Ｃ、２Ｄ、２Ｄ、２Ｅとを有する。収納体２は可撓性を有し、具体的には、ポリエステルやコットン等の表裏地の間に、ポリエステル等の中綿を挟んだキルティング状に形成されている。収納体２には、持ち運び用の取っ手３が設けられている。
【００２５】
収納体２を構成する一方の主面部２Ａの内面には、総てのクッションブロックＢ１乃至Ｂ８を主面部２Ａ上に隙間なく又は隙間を少なくして並べるための指示表示として、各クッションブロックＢ１乃至Ｂ８の高さＨ方向から見た略実寸の投影図形（シルエット）Ｃ１乃至Ｃ８が描かれている。投影図形Ｃ１乃至Ｃ８は、互いに隙間なく組み合わされて全体が大きな矩形状を呈するように描かれている。尚、絵Ｃ１乃至Ｃ８は、各クッションブロックＢ１乃至Ｂ８の投影図形に対応する輪郭線のみで表示したものや、輪郭線の内側を塗りつぶして表示したものが描かれており、絵Ｃ１乃至Ｃ８には、各クッションブロックＢ１乃至Ｂ８に対応した番号がふられている。なお、主面部２Ａと対向する主面部２Ｂの内面にも、総てのクッションブロックＢ１乃至Ｂ８を主面部２Ｂ上に隙間なく又は隙間を少なくして並べるための指示表示として、主面部２Ａに表された指示表示と同様のもの又は異なるパターンのものを表しても良いし、また、遊戯用の表示（例えば、すごろく用の多数の区画や、各クッションブロックを積上げて全体として建物、乗物、動物等の形状とするための形成方法）を表しても良い。
【００２６】
また、収納体２を構成する側面部２Ｃ、２Ｄ、２Ｄ、２Ｅのうち、図１（ａ）において上面及び側面に位置する３枚の側面部２Ｅ、２Ｄ、２Ｄには、収納体２を平面状に展開および袋状に形成可能にするための着脱部材としてのファスナーＦ（Ｆ１、Ｆ２、Ｆ２）が設けられている。図１（ａ）に示すように、本実施の形態においては、各ファスナーＦ１、Ｆ２、Ｆ２は、側面部２Ｅ、２Ｄ、２Ｄのマチ幅Ｍ方向の略中間において、側面部２Ｅ、２Ｄ、２Ｄを長手方向に半割するように設けられている。
【００２７】
従って、一方の主面部２Ａの３辺に、側面部２Ｅ、２Ｄ、２Ｄを構成するための半割側面部２Ｅａ、２Ｄａ、２Ｄａがそれぞれ連設され、他方の主面部２Ｂの３辺に、残りの半割側面部２Ｅｂ、２Ｄｂ、２Ｄｂがそれぞれ連設されている。そして、両半割側面部２Ｅａ、２Ｄａ、２Ｄａ、２Ｅｂ、２Ｄｂ、２Ｄｂの綴じ合わせ縁部に、スライド式のファスナーＦ１、Ｆ２、Ｆ２の一方の係合部と他方の係合部Ｆ１ａ、Ｆ１ｂ、Ｆ２ａ、Ｆ２ｂ、Ｆ２ａ、Ｆ２ｂが設けられている。なお、ファスナーＦ１、Ｆ２、Ｆ２のスライダーＦｓは、開いたときに片方の係合部Ｆ１ａ、Ｆ２ａ、Ｆ２ａに残る。
【００２８】
なお、ファスナーＦ１、Ｆ２、Ｆ２の取り付け位置は前記のものに限られず、収容体２内面に設けられた指示表示（クッションブロックに対応した絵Ｃ１乃至Ｃ８）を十分に視認可能な程度に収納体（２）が展開される構成であればよい。例えば、一方の主面部（２Ａ）の周囲に連設された各側面部（２ｅ，２ｄ，２ｄ）と他方の主面部（２Ｂ）との隣接辺（符番なし）に着脱部材（ファスナー）を設ける構成としたり、この構成においてさらに前記各側面部（２ｅ，２ｄ，２ｄ）同士の隣接辺が着脱部材（ファスナー）その他の手段で結合している構成であっても良い。その他、図１（ｂ）において、隣接する半割側面部・側面部同士（半割側面部２Ｅａと半割側面部２Ｄａ、半割側面部２Ｄａと側面部２Ｃ、半割側面部２Ｄｂと側面部２Ｃ）が着脱部材（ファスナー）その他の手段で結合していてもよい。
【００２９】
次に、図５を参照して、収納体に設けられる保護片について説明する。図５は、ファスナーのスライダーと保護片の関係を示す図であり、（ａ）は保護片を外側から見た図、（ｂ）は保護片を内側から見た図、（ｃ）は保護片でファスナーのスライダーを包み込んだ状態を示す図である。図５に示すように、収納体２には、ファスナーＦ１、Ｆ２、Ｆ２が開かれている状態において位置するファスナーのスライダーＦｓの近傍に、スライダーＦｓを被覆するための保護片１０が設けられている。
【００３０】
図５（ａ）及び（ｂ）に示すように、保護片１０は、収納体２の外面または内面に基端部１０Ｄが縫い付けられた帯状布片よりなり、（ｂ）中の矢印Ｙのように、先端側をスライダーＦｓを被覆するように折り曲げて、先端部１０Ｃに設けた面状ファスナー１１を、（ｃ）に示すように、収納体２の保護片１０の基端部１０Ｄを縫いつけた側と反対側の面（内面または外面）に設けた相手側の面状ファスナー１２に面係合させることにより、ファスナーＦのスライダーＦｓを被覆するようになっている。このようにスライダーＦｓを被覆した際に、保護片１０のスライダーＦｓに当たる位置には、中綿が詰められた厚地部１０Ａ、１０Ｂが設けられている。
【００３１】
図４に示すように、各クッションブロックＢ（Ｂ１乃至Ｂ８）は、可撓性を有する部材（例えばポリエステル等の布）の外袋２１の中に、弾力性を有する部材としての芯材２２を詰めて、ファスナーＦ３で本体２１ａと蓋部２１ｂを閉じたもので、芯材２２は、発泡ウレタンフォーム等のように保形性及びクッション性を兼ね備えたスポンジ状の成形体よりなる。
【００３２】
収納体２の主面部２Ａ、２Ｂの大きさは、例えば、１単位長を１５ｃｍとすると、横寸法が略５単位長（約７５ｃｍ）、縦寸法が略３単位長（約４５ｃｍ）の矩形をなしている。尚、１単位長の前記数値は例示であって、異なる寸法を採用することも可能である。
【００３３】
それに対して、総ての高さＨが１単位長で統一された８個のクッションブロックＢのうち、クッションブロックＢ１乃至Ｂ３は各辺が１単位長の立方体、クッションブロックＢ４、Ｂ５は等しい２辺が２単位長の直角三角形柱、クッションブロックＢ６、Ｂ７は縦横が１単位長×２単位長の直方体、クッションブロックＢ８は縦横が２単位長×２単位長の正方形柱として構成されている。従って、全部のクッションブロックＢを所定の配置で隙間なく並べることにより、大きな矩形状の主面部２Ａの大きさが構成される。なお、本実施の形態では、８個のクッショブロックＢ１乃至Ｂ８をセットにした場合を示したが、クッションブロックの個数や大きさ、形状は任意に選定することができる。例えば、底面の直径が１単位長でなる円柱形のブロックの採用も可能であるし、クッションブロックＢ２の立方体の代わりに、直径が１単位長でなる球状であってもよい。また、総てのクッションブロックの立体形状が同一であってもよいし、異なっていてもよい。
【００３４】
以上のような積上玩具セット１によれば、クッションブロックＢを収納するための収納体２がファスナーＦ１、Ｆ２、Ｆ２を解除することにより平面状に展開可能であって、可撓性を有する部材（布等の柔軟な素材）でできているから、収納体２をプレイマットとして使いながら、幼児にとっても安全に、複数の立体形状のクッションブロックＢを使って遊ぶことができる。
【００３５】
また、収納体２の主面部２Ａの内面に、総てのクッションブロックＢ（Ｂ１乃至Ｂ８）を主面部２Ａ上に隙間なく並べるための指示表示として、各クッションブロックＢ１乃至Ｂ８の略実寸の投影図形（シルエット）としての絵Ｃ１乃至Ｃ８が描かれているので、絵Ｃ１乃至Ｃ８の位置に、適合するクッションブロックＢ１乃至Ｂ８を順番に配置していくことで、総てのクッションブロックＢ１乃至Ｂ８を隙間なく並べることができ、その状態で収納体２のファスナーＦ１、Ｆ２、Ｆ２を閉じることにより、クッションブロックＢ１乃至Ｂ８を無理なく簡単に収納体に詰め込むことができる。
【００３６】
また、遊び終わった後に、絵Ｃ１乃至Ｃ８に合わせてクッションブロックＢ１乃至Ｂ８を置いていくだけで整然と片付けることができるので、片付けの要領を学習することができる。しかも、収納体２は、可撓性を有する部材（布等の柔軟な素材）でできている上、クッションブロックＢ１乃至Ｂ８の高さＨ相当のマチ幅Ｍを有するので、クッションブロックＢ１乃至Ｂ８を互いに余計な負荷をかけることなく詰め込むことができ、詰め込んだ状態で収納体２の主面部２Ａ、２Ｂを平坦な面とすることができる。そのため保管した状態においても、座布団状の安全なクッションとして使用することができる。
【００３７】
収納体２は、箱形に閉じたときに直方体形状をなすものであるから、色々な姿勢で置いても安定感があり、主面部２Ａ、２Ｂを寝かせて置くばかりでなく、図１（ａ）に示すように、主面部２Ａ、２Ｂを立てた姿勢で置くことができて、壁と机の隙間などに保管しやすい。また、収納体２は、対向する２枚の主面部２Ａ、２ＢとクッションブロックＢ１乃至Ｂ８の高さＨ相当のマチ幅Ｍを確保する側面部２Ｃ、２Ｅ、２Ｄ、２Ｄとを有するため、総てのクッションブロックＢを収納せず、例えば１つや２つのクッションブロックを欠いて収納し、収容体２内部でその分の空間ができる場合であっても、収納体２内部でのクッションブロックの動きは規制され、収納状態における安定感を維持することができる。
【００３８】
また、３枚の側面部２Ｅ、２Ｄ、２ＤにファスナーＦ１、Ｆ２、Ｆ２を設け、それらファスナーＦ１、Ｆ２、Ｆ２を開くことで収納体２を展開できるようにしてあるので、平面状に展開したときにファスナーＦ１、Ｆ２、Ｆ２が邪魔になりにくい。
【００３９】
しかも、ファスナーＦ１、Ｆ２、Ｆ２を開いているとき、保護片１０でファスナーＦ１、Ｆ２、Ｆ２のスライダーＦｓを包み込めるようにしたので、ファスナーＦ１、Ｆ２、Ｆ２を開いて収納体２を平面状に展開してその上で子供が遊ぶ場合において、ファスナーＦ１、Ｆ２、Ｆ２のスライダーＦｓが露出しないのでこれを踏んでも安全である。
【００４０】
なお、収納体２に、ファスナーＦ１、Ｆ２、Ｆ２が閉じられている状態において位置する該ファスナーＦ１、Ｆ２、Ｆ２のスライダーＦｓの近傍にスライダーＦｓを包み込むための保護片（不図示）を設けておけば、総てのクッションブロックＢを収納体２に収納した状態においてスライダーＦｓが露出しないので、子供が容易に収納状態を解除することを防止でき、また、収納状態を大きいクッションとして使用する場合においても安全である。
【００４１】
以上、本発明を前記実施の形態に基づいて説明したが、本発明はこれに限定されるものではない。例えば、積上部材としての総てのクッションブロックを隙間なく又は隙間を少なくして並べた場合に、全体として矩形に限らず他の多角形を呈するように構成すると共に、全体として前記多角形を呈する指示表示を有する収納体を形成するようにしても良い。
【図面の簡単な説明】
【００４２】
【図１】本発明の実施形態の説明図であり、（ａ）は総ての積上部材を収納体に収納した状態を示す積上玩具セットの外観斜視図、（ｂ）は積上玩具セットの展開状態の斜視図である。
【図２】収納体だけの展開図であり、（ａ）は内面を示す図、（ｂ）は外面を示す図である。
【図３】積上部材と収納体の主面部の指示表示との対応関係を示す図であり、（ａ）は総ての積上部材を並べた状態を示す図、（ｂ）３つの積上部材を並べた状態を示す図である。
【図４】積上部材の構成例を示す図であり、（ａ）は外観斜視図、（ｂ）は芯材を外袋から取り出した状態を示す斜視図である。
【図５】ファスナーのスライダーと保護片の関係を示す図であり、（ａ）は保護片を外側から見た図、（ｂ）は保護片を内側から見た図、（ｃ）は保護片でファスナーのスライダーを包み込んだ状態を示す図である。
【符号の説明】
【００４３】
１  積上玩具セット
２  収納体
２Ａ，２Ｂ  主面部
２Ｃ〜２Ｅ  側面部
１０  保護片
Ｂ，Ｂ１〜Ｂ８  クッションブロック（積上部材）
Ｃ１〜Ｃ８  クッションブロックに対応した絵（指示表示・投影図形）
Ｆ，Ｆ１，Ｆ２，Ｆ２  ファスナー（着脱部材）
Ｆｓ  ファスナースライダー
Ｈ  高さ
Ｍ  マチ幅
【図１】
2006280488.tif 000003
【図２】
2006280488.tif 000004
【図３】
2006280488.tif 000005
【図４】
2006280488.tif 000006
【図５】
2006280488.tif 000007